【手続補正書】
【提出日】令和1年7月4日(2019.7.4)
【手続補正１】
【補正対象書類名】特許請求の範囲
【補正対象項目名】請求項３
【補正方法】変更
【補正の内容】
【請求項３】
該前駆体が下記から選ばれることを特徴とする、請求項2に記載の方法
−  トリス(3-(トリアルコキシシリル)プロピル)メチルアンモニウムハライド、及び特にトリス(3-(トリメトキシシリル)プロピル)メチルアンモニウムハライド及び特にそのヨウ化物、
−  トリス(3-(トリアルコキシシリル)プロピル)アンモニウムハライド、及びテトラキス(3-(トリアルコキシシリル)プロピル)アンモニウムハライド及び特にそのヨウ化物、並びに特にトリス(3-(トリメトキシシリル)プロピル)アンモニウムハライド及び特にそのヨウ化物、並びにテトラキス(3-(トリメトキシシリル)プロピル)アンモニウムハライド及び特にそのヨウ化物、
−  トリス(3-(トリアルコキシシリル)プロピル)ベンジルアンモニウムハライド、トリス(3-(トリアルコキシシリル)プロピル)(4-スチリルメチル)アンモニウムハライド、並びにトリス(3-(トリアルコキシシリル)プロピル)(4-ビフェニル)アンモニウムハライド、及び特にトリス(3-(トリメトキシシリル)プロピル)ベンジルアンモニウムハライド及び特にその塩化物、トリス(3-(トリメトキシシリル)プロピル)(4-スチリルメチル)アンモニウムハライド及び特にその塩化物、並びにトリス(3-(トリメトキシシリル)プロピル)(4-ビフェニル)アンモニウムハライド及び特にその塩化物、
−  1,3-ジ(3-(トリアルコキシシリル)プロピル)-1H-イミダゾール-3-イウムハライド及び特にそのヨウ化物、並びに特に1,3-ジ(3-(トリエトキシシリル)プロピル)-1H-イミダゾール-3-イウムハライド及び特にそのヨウ化物、
−  N-(1,3-ジメチルイミダゾリジン-2-イリデン)-N,N-[ビス(3-(トリアルコキシシリル)プロピル]-1-アミニウムハライド及び特にそのヨウ化物、並びに特にN-(1,3-ジメチルイミダゾリジン-2-イリデン)-N,N-[ビス(3-(トリエトキシシリル)プロピル]-1-アミニウムハライド及び特にそのヨウ化物、
−  1,4-(3-(トリアルコキシシリル)プロピル)ピリジニウムハライド及び特にそのヨウ化物、並びに特に1,4-(3-(トリエトキシシリル)プロピル)ピリジニウムハライド及び特にそのヨウ化物、
−  テトラキス(3-(トリアルコキシシリル)プロピル)ホスホニウムハライド及び特にテトラキス(3-(トリメトキシシリル)プロピル)ホスホニウムハライド、及び
−  それらの混合物。
【手続補正２】
【補正対象書類名】特許請求の範囲
【補正対象項目名】請求項４
【補正方法】変更
【補正の内容】
【請求項４】
該有機ケイ素物質は、粒子の形態で、特に粉末、粒、ビーズ又はモノリスの形態で、より特にはビーズ又はモノリスの形態で、用意され、該粒子の寸法は、50nm〜5cm、特に200nm〜2mm、例えば100nm〜250μm、であり、特に、50nm〜50μm、特に200nm〜5μm、特に100nm〜1μm、の寸法の粉末の形態において、又は5mm〜5cm、特に5mm〜2cm、及びより特には10mm〜2cm、の寸法のモノリスの形態において用意されることを特徴とする、請求項1〜3のいずれか一項に記載の方法。
【手続補正３】
【補正対象書類名】特許請求の範囲
【補正対象項目名】請求項１７
【補正方法】変更
【補正の内容】
【請求項１７】
下記の３つの前駆体のうちの1つから調製される、請求項16に記載の有機ケイ素物質：
【化６】
2018530418.tif 000001
ここで、Rは、メチル基、エチル基又はイソプロピル基を表し、及びX-はハライドを表し、特にトリス(3-(トリメトキシシリル)プロピル)ベンジルアンモニウムハライド、及びより特にはその塩化物、トリス(3-(トリメトキシシリル)プロピル)(4-スチリルメチル)アンモニウムハライド、及びより特にはその塩化物、並びにトリス(3-(トリメトキシシリル)プロピル)(4-ビフェニル)アンモニウムハライド、及びより特にはその塩化物、から選択される、上記有機ケイ素物質。
【手続補正４】
【補正対象書類名】明細書
【補正対象項目名】００３６
【補正方法】変更
【補正の内容】
【００３６】
本発明に従うイオノシリカ物質は、粒子の形態で用意されうる。特に、粉末、粒、ビーズ又はモノリスが挙げられうる。これら粒子の寸法は、50nm〜5cm、特に200nm〜2mm、例えば100nm〜250μm、でありうる。
【手続補正５】
【補正対象書類名】明細書
【補正対象項目名】００３７
【補正方法】変更
【補正の内容】
【００３７】
本発明の特定の実施態様に従うと、イオノシリカ物質は、粒、ビーズ又はモノリスの形態で、及びより特にはなおビーズ又はモノリスの形態で、用意される。
【手続補正６】
【補正対象書類名】明細書
【補正対象項目名】００８４
【補正方法】変更
【補正の内容】
【００８４】
ここで、Rは、メチル基、エチル基又はプロピル基、及び特にメチル基、を表し、該化合物は、トリス(3-(トリアルコキシシリル)プロピル)アンモニウムハライド及び特にそのヨウ化物、並びにテトラキス(3-(トリアルコキシシリル)プロピル)アンモニウムハライド及び特にそのヨウ化物、としても呼ばれることができる。
【手続補正７】
【補正対象書類名】明細書
【補正対象項目名】００８５
【補正方法】変更
【補正の内容】
【００８５】
トリス(3-(トリメトキシシリル)プロピル)アンモニウム(HTrisN)ハライド及び特にそのヨウ化物、並びにテトラキス(3-(トリメトキシシリル)プロピル)アンモニウム(TetraN)ハライド及び特にそのヨウ化物、が非常に特に言及される。
【手続補正８】
【補正対象書類名】明細書
【補正対象項目名】００８８
【補正方法】変更
【補正の内容】
【００８８】
ここで、Rは、メチル基、エチル基又はイソプロピル基、及びより特にはメチル基、を表し、及びX-はハライドを表し、該化合物は、トリス(3-(トリアルコキシシリル)プロピル)ベンジルアンモニウムハライド、トリス(3-(トリアルコキシシリル)プロピル)(4-スチリルメチル)アンモニウムハライド、及びトリス(3-(トリアルコキシシリル)プロピル)(4-ビフェニル)アンモニウムハライドとしても呼ばれることができる。
【手続補正９】
【補正対象書類名】明細書
【補正対象項目名】００８９
【補正方法】変更
【補正の内容】
【００８９】
特に、トリス(3-(トリメトキシシリル)プロピル)ベンジルアンモニウム(BzTrisN)ハライド及び特にその塩化物、トリス(3-(トリメトキシシリル)プロピル)-(4-スチリルメチル)アンモニウム(StyTrisN)ハライド及び特にその塩化物、並びにトリス(3-(トリメトキシシリル)プロピル)(4-ビフェニル)アンモニウム(BiphTrisN)ハライド及び特にその塩化物、が言及される。
【手続補正１０】
【補正対象書類名】明細書
【補正対象項目名】００９５
【補正方法】変更
【補正の内容】
【００９５】
ここで、Rは、メチル基、エチル基又はイソプロピル基、及びより特にはエチル基、を表し、及びX-はハライドを表し、該化合物は、1,3-ジ(3-(トリアルコキシシリル)プロピル)-1H-イミダゾール-3-イウムハライドとしても呼ばれることができる。
【手続補正１１】
【補正対象書類名】明細書
【補正対象項目名】００９６
【補正方法】変更
【補正の内容】
【００９６】
特に、1,3-ジ(3-(トリエトキシシリル)プロピル)-1H-イミダゾール-3-イウムハライド及び特にそのヨウ化物、が言及される。
【手続補正１２】
【補正対象書類名】明細書
【補正対象項目名】０１２３
【補正方法】変更
【補正の内容】
【０１２３】
特に、トリス(3-(トリメトキシシリル)プロピル)ベンジルアンモニウム(BzTrisN)塩化物、トリス(3-(トリメトキシシリル)プロピル)(4-スチリルメチル)アンモニウム(StyTrisN)塩化物、及びトリス(3-(トリメトキシシリル)プロピル)(4-ビフェニル)アンモニウム(BiphTrisN)塩化物が言及され、それらから得られる有機ケイ素物質は本発明内に入る。
【手続補正１３】
【補正対象書類名】明細書
【補正対象項目名】０３００
【補正方法】変更
【補正の内容】
【０３００】
実施例6：イオノシリカ物質の成形